(57)【要約】【課題】  固定部材が特定の位置から離れるのを防止するための機構を有するブラケット装置を提供すること。【解決手段】  ブラケット装置はブラケット、固定部材、支持フレーム及び付属部品を含む。固定部材はブラケットに対して可動である。支持フレームが操作されてブラケットに対して第１の位置に変位されると、固定部材は支持フレームによって特定の位置で支持される。支持フレームが操作されてブラケットに対して第２の位置に変位されると、固定部材は支持フレームによって支持されないため特定の位置にもはや位置しない。付属部品が所定の位置にある場合、支持フレームは第１の位置から第２の位置に変位するのが防止される。【選択図】  図１
2019009417.tif 000002
【特許請求の範囲】
【請求項１】
ポストに取り付けられるように適合されたブラケット装置であって、当該ブラケット装置は、
前記ポストに取り付けられるように取り付け部材を備えるブラケットと、
操作により非ロック位置又はロック位置のいずれかに変位可能な固定部材と、
付属部品と、
を含み、
前記付属部品が所定の位置にある場合、前記固定部材は非ロック位置からロック位置に変位するのが防止され、
前記付属部品が前記所定の位置にない場合、前記固定部材は非ロック位置からロック位置に変位して前記ブラケットを前記ポストに固定することができる、ブラケット装置。
【請求項２】
前記ブラケットに対して変位可能な支持フレームをさらに含み、
前記付属部品が前記所定の位置にない場合、前記支持フレームは前記ブラケットに対して第１の位置から第２の位置に変位することで前記固定部材を前記非ロック位置から前記ロック位置に変位させることができる、請求項１に記載のブラケット装置。
【請求項３】
前記ブラケット及び前記支持フレームの一方は前記ブラケットに対する前記支持フレームの変位を促進するためにガイド部を含む、請求項２に記載のブラケット装置。
【請求項４】
前記固定部材は前記ブラケットに可動に取り付けられるとともに第１の支持部を含み、
前記支持フレームは第２の支持部を含み、
前記支持フレームが第１の位置にある場合、前記支持フレームの第２の支持部は、前記固定部材が前記非ロック位置にあるように前記固定部材の第１の支持部を支持し、
前記支持フレームが第２の位置にある場合、前記支持フレームの第２の支持部は、前記固定部材が前記非ロック位置にもはや位置しないように前記固定部材の第１の支持部を支持しない、請求項２に記載のブラケット装置。
【請求項５】
前記所定の位置は前記支持フレーム及び前記ブラケットのうちの一方によって定義され、
前記ブラケット装置は前記支持フレーム及び前記ブラケットのうちの他方にブロック部を含み、
前記付属部品が前記所定の位置にある場合、前記ブロック部及び前記付属部品は協働して前記支持フレームが前記ブラケットに対して第１の位置から第２の位置に変位するを防止する、請求項２に記載のブラケット装置。
【請求項６】
ブラケット装置であって、
ブラケットと、
前記ブラケットに可動に取り付けられるとともに第１の支持部を含む固定部材と、
第２の支持部を含む支持フレームであって、前記支持フレームが操作されて前記ブラケットに対して第１の位置に変位されると、前記支持フレームの第２の支持部は前記固定部材が特定の位置にあるように前記固定部材の第１の支持部を支持し、前記支持フレームが操作されて前記ブラケットに対して第２の位置に変位されると、前記支持フレームの第２の支持部は前記固定部材が特定の位置にもはや位置しないように前記固定部材の第１の支持部を支持しない、支持フレームと、
付属部品と、
を含み、
前記付属部品が前記支持フレームの所定の位置にある場合、前記支持フレームは前記ブラケットに対して前記第１の位置から前記第２の位置に変位するのが防止され、
前記付属部品が前記所定の位置にない場合、前記支持フレームは前記ブラケットに対して前記第１の位置から前記第２の位置に変位することができる、ブラケット装置。
【請求項７】
前記ブラケット及び前記支持フレームの一方は前記ブラケットに対する前記支持フレームの変位を促進するためにガイド部を含む、請求項６に記載のブラケット装置。
【請求項８】
前記ブラケットにブロック部をさらに含み、
前記付属部品が前記支持フレームの所定の位置にある場合、前記ブロック部及び前記付属部品は協働して前記支持フレームが前記ブラケットに対して前記第１の位置から前記第２の位置に変位するのを防止する、請求項６に記載のブラケット装置。
【請求項９】
ポストに取り付けられるように適合された連結アセンブリであって、当該連結アセンブリは、
スライドレール機構と、
前記スライドレール機構に連結されるブラケット装置であって、該ブラケット装置は、
前記ポストに取り付けられるように取り付け部材を備えるブラケットと、
操作により非ロック位置又はロック位置のいずれかに変位可能な固定部材と、
付属部品と、
を含むブラケット装置と、
を含み、
前記付属部品が所定の位置にある場合、前記固定部材は前記非ロック位置から前記ロック位置に変位するのが防止され、
前記付属部品が前記所定の位置にない場合、前記固定部材は前記非ロック位置から前記ロック位置に変位することで前記ブラケットを前記ポストに固定することができる、連結アセンブリ。
【請求項１０】
前記ブラケット装置は前記ブラケットに対して変位可能な支持フレームを含み、
前記付属部品が前記所定の位置にない場合、前記支持フレームは前記ブラケットに対して第１の位置から第２の位置に変位することで前記固定部材を前記非ロック位置から前記ロック位置に変位させることができる、請求項９に記載の連結アセンブリ。
【発明の詳細な説明】
【技術分野】
【０００１】
本発明は連結アセンブリに関し、より具体的にはブラケット装置の固定部材が特定の位置から離れるのを防止するための付属部品（fitting）を備える連結アセンブリに関する。
【背景技術】
【０００２】
特許文献１には、取り付けに工具が不要なサーバー用スライドレールフレームが開示されている。係るフレームは、スライドレールリア取り付けフレーム（１）に設けられた一対のラック位置決めポスト（４）及びラックフローティングフック（floating  hook）（２）を含む。ラックフローティングフック（２）は一対の羽根（２０５）にそれぞれ設けられた一対のフック（２０３）を含む。一対の羽根（２０５）はそれぞれスライドガイドスリーブ（２０１）を備え、アーチ型の屈曲要素（２０６）を通じて固定接続されている。スライドレールリア取り付けフレーム（１）には固定された２つのスライドガイドポスト（１０１）が設けられ、スライドガイドポストはスライドガイドスリーブ（２０１）内に挿入され規制ネジ（７）を通じて固定接続されている。各スライドガイドスリーブ（２０１）の周り及び対応する羽根（２０５）と規制ネジ（７）との間には第１の戻りバネ（６）が取り付けられる。スライドレール後リア取り付けフレーム（１）はフローティングピン孔（１０４）をさらに備え、ピン孔内にフローティングピン（３）が設置される。フローティングピン（３）の一端は規制ネジ（７）を通じて「アーチ」型屈曲要素（２０６）に接続され、フローティングピン（３）の他端はフローティングピン孔（１０４）内に設けられた円錐状ヘッド（３０１）である。各フローティングピン（３）の周り及び円錐状ヘッドの端面と対応する規制ネジ（７）との間に第２の戻りバネ（５）が取り付けられる。
【先行技術文献】
【特許文献】
【０００３】
【特許文献１】中国特許第１０２６９５３９６号
【特許文献２】米国特許第９６２９４６０号明細書
【発明の概要】
【発明が解決しようとする課題】
【０００４】
上記の構成によれば、フローティングピン（３）はスライドレールの外側レール部材により駆動されてスライドレールリア取り付けフレーム（１）にロック／ロック解除できる。外側レール部材は後方取り付けフレーム内に収容されている。しかしながら、上記の取り付けフレームはフック（２０３）の任意の変位を防止するための機構が欠如している。
【課題を解決するための手段】
【０００５】
本発明は、固定部材が特定の位置から離れるのを防止するための機構を有するブラケット装置を提供することを目的とする。
【０００６】
本発明の一態様によれば、ブラケット装置はブラケット、固定部材及び付属部品を含む。固定部材は操作により非ロック位置又はロック位置のいずれかに変位可能である。付属部品が所定の位置にある場合、固定部材は非ロック位置からロック位置に変位することができないが、付属部品が所定の位置にない場合は、固定部材は非ロック位置からロック位置に変位してブラケットをポストに固定することができる。
【０００７】
ブラケット装置のブラケットはポストに取り付けられるように取り付け部材を備えることが好ましい。
【０００８】
ブラケット装置はブラケットに対して変位可能な支持フレームをさらに含むことが好ましい。付属部品が所定の位置にない場合、支持フレームはブラケットに対して第１の位置から第２の位置に変位することで固定部材を非ロック位置からロック位置に変位させることができる。
【０００９】
ブラケット及び支持フレームの一方はブラケットに対する支持フレームの変位を容易にするためにガイド部を含むことが好ましい。
【００１０】
固定部材はブラケットに可動に取り付けられるとともに第１の支持部を含み、支持フレームは第２の支持部を含むことが好ましい。支持フレームが第１の位置にある場合、支持フレームの第２の支持部は、固定部材が非ロック位置にあるように固定部材の第１の支持部を支持する。支持フレームが第２の位置にある場合、支持フレームの第２の支持部は、固定部材が非ロック位置にもはや位置しないように固定部材の第１の支持部を支持しない。
【００１１】
所定の位置は支持フレーム及びブラケットのうちの一方によって定義され、ブラケット装置は支持フレーム及びブラケットのうちの他方にブロック部を含むことが好ましい。付属部品が所定の位置にある場合、ブロック部及び付属部品は協働して支持フレームがブラケットに対して第１の位置から第２の位置に変位するを防止する。
【００１２】
本発明の別の態様によれば、ブラケット装置はブラケット、固定部材、支持フレーム及び付属部品を含む。固定部材はブラケットに可動に取り付けられるとともに第１の支持部を含む。支持フレームは第２の支持部を有する。支持フレームが操作されてブラケットに対して第１の位置に変位されると、支持フレームの第２の支持部は固定部材が特定の位置にあるように固定部材の第１の支持部を支持する。支持フレームが操作されてブラケットに対して第２の位置に変位されると、支持フレームの第２の支持部は固定部材が特定の位置にもはや位置しないように固定部材の第１の支持部を支持しない。さらに、付属部品が支持フレームの所定の位置にある場合、支持フレームはブラケットに対して第１の位置から第２の位置に変位できないが、付属部品が所定の位置にない場合は、支持フレームはブラケットに対して第１の位置から第２の位置に変位することができる。
【００１３】
本発明のさらに別の態様によれば、連結アセンブリはポストに取り付けられるように適合されるとともにスライドレール機構及びブラケット装置を含む。ブラケット装置はスライドレール機構に連結されるとともにブラケット、固定部材及び付属部品を含む。ブラケットはポストに取り付けられるように取り付け部材を備える。固定部材は操作により非ロック位置又はロック位置のいずれかに変位可能である。付属部品が所定の位置にある場合、固定部材は非ロック位置からロック位置に変位できないが、付属部品が所定の位置にない場合は、固定部材は非ロック位置からロック位置に変位することでブラケットをポストに固定することができる。
【図面の簡単な説明】
【００１４】
【図１】図１は、本発明の一実施形態に係る連結アセンブリの斜視図である。
【図２】図２は、本発明の一実施形態に係るブラケット装置を示し、ブラケット装置の固定部材は非ロック位置にある。
【図３】図３は、本発明の一実施形態に係るブラケット装置を示し、ブラケット装置の固定部材はロック位置にある。
【図４】図４は、特定の位置から取り外された本発明の一実施形態に係るブラケット装置の付属部品を示す。
【図５】図５は、特定の位置に取り付けられた本発明の一実施形態に係るブラケット装置の付属部品を示す。
【図６】図６は、本発明の一実施形態における付属部品を別の角度から示し、付属部品は特定の位置から取り外されている。
【図７】図７は、本発明の一実施形態における付属部品を別の角度から示し、付属部品は特定の位置に取り付けられている。
【図８】図８は、ポストに適用された本発明の一実施形態に係るブラケット装置を示す。
【図９】図９は、ポストに取り付けられた本発明の一実施形態に係るブラケット装置を示す。
【図１０】図１０は、ラックに適用された本発明の一実施形態に係る連結アセンブリを示す。
【図１１】図１１は、図１０における○で囲った領域Ａの拡大図である。
【図１２】図１２は、ラックに取り付けられた本発明の一実施形態に係る連結アセンブリを示す。
【図１３】図１３は、図１２における○で囲った領域Ａの拡大図である。
【図１４】図１４は、ラックに取り付けられた本発明の一実施形態に係る連結アセンブリを示す斜視図である。
【発明を実施するための形態】
【００１５】
図１を参照して、本発明の一実施形態における連結アセンブリ１０はスライドレール機構１２と、ブラケット装置１４とを含み、好ましくは別のブラケット装置１６を含む。ブラケット装置１４及び１６はスライドレール機構１２に連結されている。ブラケット装置１４及び１６は、スライドレール機構１２の一方側の支持レール部１８によりスライドレール機構１２の後方部及び前方部にそれぞれ隣接して位置していることが好ましい。ここで、一例として、ブラケット装置１６は支持レール部１８に固定連結され、ブラケット装置１４は少なくとも１つの支持フレーム２０を通じて支持レール部１８の支持通路２２内に取り付けられ、支持レール部１８に対して動かすことができる。本発明は、ブラケット装置１４及び１６の取り付け方法の点で限定されない。ブラケット装置１４はブラケット２４、固定部材２６及び付属部品２８を含む。ブラケット２４は側壁３０、側壁３０に実質的に垂直に連結された端壁３２及び端壁３２に設けられる少なくとも１つの取り付け部材３４を含む。
【００１６】
図２に示すように、固定部材２６はブラケット２４に可動に取り付けられている。ここで、一例として、固定部材２６はピン３１を通じてブラケット２４に枢結されている。固定部材２６は第１の支持部３３を含むのに対して、支持フレーム２０は第２の支持部３５を含む。支持フレーム２０はブラケット２４に対して変位させることができる。支持フレーム２０が操作されてブラケット２４に対して第１の位置Ｐ１に変位されると、支持フレーム２０の第２の支持部３５は固定部材２６がブラケット２４の端壁３２に対して非ロック位置Ｌ１（特許請求の範囲では特定の位置ともいう）にあるように固定部材２６の第１の支持部３３を支持する。
【００１７】
図２と共に図３を参照して、支持フレーム２０がさらに操作されてブラケット２４に対して第１の方向Ｄ１に第１の位置Ｐ１から第２の位置Ｐ２に変位されると、支持フレーム２０の第２の支持部３５は固定部材２６の第１の支持部３３の支持を中止する。その結果、もはや固定部材２６はブラケット２４の端壁３２に対して非ロック位置Ｌ１にいない。例えば、固定部材２６は非ロック位置Ｐ１からロック位置Ｌ２に枢動される。
【００１８】
ブラケット２４及び支持フレーム２０の一方は、支持フレーム２０をブラケット２４に対して容易に変位させることができるようにガイド部３８を含むことが好ましい。ここで、一例として、ブラケット２４の側壁３０はガイド通路４２を定義する上部４０ａ及び下部４０ｂを有し、支持フレーム２０はガイド通路４２を通じてブラケット２４に対して変位できる。ブラケット装置１４は位置制限構造４４をさらに含むことが好ましい。位置制限構造４４を通じて支持フレーム２０及びブラケット２４を限られた範囲でお互いに対して変位させることができる。ここで、位置制限構造４４は境界を有するスロットであり、連結部材４６は位置制限構造４４の一部を貫通して支持フレーム２０をブラケット２４の側壁３０に連結する。
【００１９】
図４及び図５を参照して、付属部品２８がブラケット装置１４上の所定の位置Ｆにある場合、固定部材２６は非ロック位置Ｌ１からロック位置Ｌ２に枢動できない。ここで、一例として、付属部品２８はブラケット装置１４の所定の位置Ｆに着脱可能に取り付けられるように構成されている。所定の位置Ｆは支持フレーム２０及びブラケット２４の一方によって定義されている。例えば、所定の位置Ｆは支持フレーム２０によって定義されている。さらに、支持フレーム２０は第１の取り付け部４８を含み、付属部品２８は第１の部分２９ａ、第２の部分２９ｂ及び第１の部分２９ａと第２の部分２９ｂとの間の中間部２９ｃを含む。第１の部分２９ａ及び第２の部分２９ｂの一方に第２の取り付け部５０が設けられ、本実施形態では第１の部分２９ａに設けられている。付属部品２８は所定の位置Ｆにあるように第２の取り付け部５０を通じて第１の取り付け部４８に着脱可能に取り付けられている。第１の取り付け部４８及び第２の取り付け部５０は凹部（又は孔）及び凸部（又は逆の構成）等の２つの対応構造であるが、本発明は係る構成に限定されない。
【００２０】
図４〜図７を参照して、付属部品２８が所定の位置Ｆに取り付けられた状態では、付属部品２８の第１の部分２９ａは支持フレーム２０の一方側にあり、付属部品２８の第２の部分２９ｂはスライドレール機構１２の一方側にあり、付属部品２８の中間部分２９は支持フレーム２０とスライドレール機構１２との間に挿入されている。さらに、付属部品２８が所定の位置Ｆに取り付けられた状態では、付属部品２８がブロック部５２によってブロックされて、支持フレーム２０がブラケット２４に対して第１の方向Ｄ１に第１の位置Ｐ１から第２の位置Ｐ２に変位するのが防止されるようにブロック部５２は付属部品２８と協働することができる。ブラケット２４に対する支持フレーム２０の変位（例えば、第１の位置Ｐ１から第２の位置Ｐ２への変位）を防止することにより固定部材２６が非ロック位置Ｌ１からロック位置Ｌ２に枢動するのを防止するために、ブロック部５２は例えばブラケット２４に位置し、本実施形態ではブラケット２４の下部４０ｂの壁として実施される。代替的な実施形態では、付属部品２８はブラケット２４に連結され、ブロック部５２は支持フレーム２０に位置する。
【００２１】
ブラケット装置１４は図８に示すようにポスト５４に取り付けることができる。図８では、付属部品２８はブラケット装置１４上の所定の位置Ｆにない（例えば、付属部品２８は支持フレーム２０の第１の取り付け部４８から取り外されている）。より具体的には、ブラケット２４は、支持フレーム２０がブラケット２４に対して第１の位置Ｐ１にある状態でブラケット２４の端壁３２がポスト５４に押し付けられるように少なくとも１つの取り付け部材３４を通じてポスト５４の孔５６に取り付けることができる。その結果、支持フレーム２０の第２の支持部３５が固定部材２６の第１の支持部３３を支持することにより固定部材２６が非ロック位置Ｌ１に移される。
【００２２】
図８及び図９に示すように、固定部材２６を操作して非ロックＬ１又はロック位置Ｌ２のいずれかに変位させることができる。例えば、支持フレーム２０を操作し、第２の位置Ｐ２に到達するまでブラケット２４に対して第１の方向Ｄ１に第１の位置Ｐ１からポスト５４の方に変位させることができる。このプロセスの間、支持フレーム２０は固定部材２６を非ロック位置Ｌ１からロック位置Ｌ２に変位させ、ロック位置Ｌ２にある固定部材２６がポスト５４にロックされるため、ブラケット２４がポスト５４に固定される。例えば、支持フレーム２０が第１の方向Ｄ１に変位される過程で、支持フレーム２０は、第２の支持部３５と第１の支持部３３との間の接触を通じて固定部材２６を駆動する。
【００２３】
第１の支持部３３及び第２の支持部３５の一方は、傾斜又は湾曲面であり得るガイド部５８を有することが好ましい。ここでは、ガイド部５８は一例として第２の支持部３５に設けられている。支持フレーム２０が操作されて、ブラケット２４に対して（第１の方向Ｄ１の反対方向である）第２の方向Ｄ２に第２の位置Ｐ２から第１の位置Ｐ１に変位される過程で、ガイド部５８は第１の支持部３３と接触し、固定部材２６を駆動してロック位置Ｌ２から非ロック位置Ｌ１に戻す。
【００２４】
図１０、図１１、図１２及び図１３に示すように、連結アセンブリ１０は、ポスト５４と別のポスト６０を含むラックに取り付けられるように適合されている。より具体的には、ブラケット装置１４のブラケット２４は少なくとも１つの取り付け部材３４を通じてポスト５４の孔５６に取り付けることができる。そして、支持フレーム２０を操作して、ブラケット２４に対して第１の方向Ｄ１に第１の位置Ｐ１から第２の位置Ｐ２に変位させることができる。この同じプロセスの間、ブラケット２４をポスト５４に固定するために第２の支持部３５と第１の支持部３３との間の接触を通じて固定部材２６が非ロック位置Ｌ１からロック位置Ｌ２に変位される。他方、ブラケット装置１６は少なくとも１つの取り付け部材６２を通じてポスト６０の孔６４に取り付けるために第２の方向Ｄ２に変位させることができる。当業者であればブラケット装置１６の取り付けプロセスを容易に理解できるため、ここでは詳細な説明は省略する。
【００２５】
図１４に示すように、連結アセンブリ１０はブラケット装置１４及び１６を通じてポスト５４及び６０にそれぞれ取り付けることができる。
【００２６】
上記によれば、前述の実施形態における連結アセンブリで用いられるブラケット装置は下記の特徴を有することが好ましい。
【００２７】
１）付属部品２８が所定の位置にある場合、固定部材２６は特定の位置（例えば非ロック位置Ｌ１）から離れるのが防止される。
【００２８】
２）付属部品２８が所定の位置にない場合、１人のオペレータはラックの前に立って連結アセンブリ１０をラックの２つのポスト２４及び６０に取り付けること／ラックの２つのポスト２４及び６０から取り外すことができ、取り付け／取り外しプロセスを困難なく素早く行うことができる。
【００２９】
上述した好ましい実施形態を参照して本発明を開示してきたが、これらの実施形態は本発明の範囲を制限することを意図したものではない。本願が求める特許保護の範囲は添付の特許請求の範囲によって定義されている。
【符号の説明】
【００３０】
１０  連結アセンブリ
１２  スライドレール機構
１４  ブラケット装置
１６  ブラケット装置
１８  支持レール部
２０  支持フレーム
２２  支持通路
２４  ブラケット
２６  固定部材
２８  付属部品
２９ａ  第１の部分
２９ｂ  第２の部分
２９ｃ  中間部
３０  側壁
３１  ピン
３２  端壁
３３  第１の支持部
３４  取り付け部材
３５  第２の支持部
３８  ガイド部
４０ａ  上部
４０ｂ  下部
４２  ガイド通路
４４  位置制限構造
４６  連結部材
４８  第１の取り付け部
５０  第２の取り付け部
５２  ブロック部
５４  ポスト
５６  孔
５８  ガイド部
６０  ポスト
６２  取り付け部材
６４  孔
【図１】
2019009417.tif 000003
【図２】
2019009417.tif 000004
【図３】
2019009417.tif 000005
【図４】
2019009417.tif 000006
【図５】
2019009417.tif 000007
【図６】
2019009417.tif 000008
【図７】
2019009417.tif 000009
【図８】
2019009417.tif 000010
【図９】
2019009417.tif 000011
【図１０】
2019009417.tif 000012
【図１１】
2019009417.tif 000013
【図１２】
2019009417.tif 000014
【図１３】
2019009417.tif 000015
【図１４】
2019009417.tif 000016